(57)【要約】【課題】  有価証券等の貴重性の高い製品に対して、効率的かつ確実に、連続番号を印刷し保証した製品を製造できるシステムを提供する。【解決手段】  シート状基材の印刷不良製品に施されている第１の番号情報を、少なくとも二つ以上の各工程で読取る第１の読取手段と、第１の番号情報を番号印刷工程にフィードバックし、シート状基材とは異なる新たなシート状基材に第２の番号情報を印刷する印刷手段と、第２の番号情報を読取る各工程に備えられた第２の読取手段と、第１の番号情報と第２の番号情報を照合し、適合判定する各工程に備えられた制御手段と、制御手段の適合判定情報を基に、新たなシート状基材を印刷不良製品の代替として連続番号製品内に挿入する製品差替手段を備えたことを特徴とする連続番号製品の製造システム。【選択図】  図１
2008229883.tif 000002
【特許請求の範囲】
【請求項１】
番号印刷工程を含む少なくとも二つ以上の工程から成る連続番号製品の製造システムであって、シート状基材の印刷不良製品に施されている第１の番号情報を、前記少なくとも二つ以上の各工程で読取る第１の読取手段と、前記第１の番号情報を前記番号印刷工程にフィードバックし、前記シート状基材とは異なる新たなシート状基材に第２の番号情報を印刷する印刷手段と、前記第２の番号情報を読取る前記各工程に備えられた第２の読取手段と、前記第１の番号情報と前記第２の番号情報を照合し、適合判定する前記各工程に備えられた制御手段と、前記制御手段の適合判定情報を基に、前記新たなシート状基材を印刷不良製品の代替として前記連続番号製品内に挿入する製品差替手段を備えたことを特徴とする連続番号製品の製造システム。
【請求項２】
前記制御手段は、前記第１及び第２の番号情報を記憶する情報記憶手段と、前記第１の番号情報を印刷手段へ指示及び伝達する情報伝達手段と、前記第１の番号情報と前記第２の番号情報を照合する番号照合手段とを有して成ることを特徴とする請求項１記載の連続番号製品の製造システム。
【請求項３】
少なくとも二つ以上の工程に備えられた前記制御手段は情報通信回線で連結されていることを特徴とする請求項１乃至２記載の連続番号製品の製造システム。
【発明の詳細な説明】
【技術分野】
【０００１】
本発明は、銀行券をはじめ、金券及び株券等の有価証券における連続番号を保証した製品を製造する連続番号製造システムに関するものである。
【背景技術】
【０００２】
銀行券をはじめ、金券及び株券等の有価証券には、１枚ずつ異なる番号が連続的に印刷されている。これらの有価証券の製造過程においては、印刷ミス等によって印刷物の品質異常が発生することがあり、この場合、当該印刷物を不良紙として扱うこととなる。当該不良紙には連続番号を構成するための当該紙特有の情報となる番号が印刷されており、当該紙が不良紙となった場合には、その番号は無効となる。
【０００３】
無効となった番号は欠番として処理するのが一般的であるが、連続番号を印刷した製品を保証し提供するためには、別途、印刷物品質に異常のない良紙を用いて、無効となった番号を印刷して連続番号を構成する必要がある。
【０００４】
従来、無効となった番号を新たに印刷する方法としては、印刷物品質に異常を発見した都度、当該印刷物に印刷されている番号を検査人が裸眼で読取り、その番号を改めて印刷していた。この方法は、人的要因による番号読取ミス、必要な番号を得るための番号印刷機の調整及び印刷後の番号照合等の人的負荷は大きく、作業も効率的ではなかった。
【０００５】
前述した問題点を解決するために、印刷すべき番号を指示する装置と、この指示装置より指示された番号を入力して、自動的にその番号をシート部材に印刷する装置から成る番号補刷システムが開示されている（例えば、特許文献１参照）。
【０００６】
【特許文献１】特開２００２−１９２８９２号公報
【発明の開示】
【発明が解決しようとする課題】
【０００７】
しかし、特許文献１については、特定の製造部門から発生する番号の無効に対しては、番号指示装置及び番号印刷装置等の構成によって、単一部門としての対応は可能となるものの、有価証券の製造は、印刷工程、検査工程及び仕上工程等の複数工程にわたって行われる場合が一般的であり、それぞれの工程で不良紙が発生するため、これらに対応するためには、各工程間において、その都度、無効となった番号を別途用意した新たなシート状基材に印刷し、番号を照合しなければならないため、非効率的であった。
【０００８】
また、連続番号製品を構成する場合、無効の番号が印刷された新たなシート状基材を不良紙の代替として挿入し、差替えする必要があり、その行為自体は従来と変わりなく、先行技術でも開示されておらず、改善の余地が残されている。
【０００９】
以上のような従来の問題点を解消するため、本発明は、特に有価証券等の貴重性の高い製品に対して、効率的かつ確実に、連続番号を保証した製品を製造できるシステムを提供することを目的とする。
【課題を解決するための手段】
【００１０】
本発明の連続番号製品の製造システムは、番号印刷工程を含む少なくとも二つ以上の工程から成る連続番号製品の製造システムであって、シート状基材の印刷不良製品に施されている第１の番号情報を、少なくとも二つ以上の各工程で読取る第１の読取手段と、第１の番号情報を番号印刷工程にフィードバックし、シート状基材とは異なる新たなシート状基材に第２の番号情報を印刷する印刷手段と、第２の番号情報を読取る各工程に備えられた第２の読取手段と、第１の番号情報と前記第２の番号情報を照合し、適合判定する前記各工程に備えられた制御手段と、制御手段の適合判定情報を基に、新たなシート状基材を印刷不良製品の代替として連続番号製品内に挿入する製品差替手段を備えたことを特徴としている。
【００１１】
本発明の連続番号製品の製造システムにおける制御手段は、第１及び第２の番号情報を記憶する情報記憶手段と、第１の番号情報を印刷手段へ指示及び伝達する情報伝達手段と、第１の番号情報と第２の番号情報を照合する番号照合手段とを有して成ることを特徴としている。
【００１２】
また、本発明の連続番号製品の製造システムにおける制御手段は、各工程ごとに情報通信回線で連結されていることを特徴としている。
【発明の効果】
【００１３】
本発明の連続番号製品の製造システムは、前述したような形態で実施され、以下に記載するような効果を奏する。
本発明によって、少なくとも二つ以上の工程にわたって製造される場合においても、各工程で発生する無効の番号情報は、情報記憶手段によって共有され、かつ情報通信回線によって連結されることで、必要の都度、速やかに新たなシート状基材を用いて番号が印刷されるため、各工程間の情報のやり取りが省け効率的である。
【００１４】
また、新たなシート状基材に印刷された番号と印刷不良紙の番号は、制御手段に具備された番号照合手段によって適合判定がなされ、誤った番号印刷がなされていないか確実に保証できることから、人的な確認行為が省けるとともに、確認ミスも排除することが可能である。
【００１５】
さらに、番号照合手段の適合判定の結果に基づき、新たなシート状基材を印刷不良紙の替わりに製品内に挿入する差替手段を備えたことで、差替え作業に伴う人的負荷や作業時間が減少し、効率的かつ確実に連続製品を製造し提供することができる。
【発明を実施するための最良の形態】
【００１６】
以下、本発明に係る連続番号製品の製造システムについて、図面を用いて詳細に説明する。図１は本発明の構成を示すブロック図、図２は本発明の一実施例に係る連続番号製品の製造システムの概略図、図３は、印刷不良紙（損紙）と良紙を示した図、図４は、無効となった番号の照合状態を示す図、図５は、本発明の製造システムを構成する製品差替手段を示す図、図６は、多面判シート状基材から１面の連続番号製品ができる様子を示す図、図７は、番号自動割付表に基づいて新たなシート状基材に番号が印刷された図である。
【００１７】
図１に示すように、第１の番号読取手段１は、印刷ミス等によって生じた印刷不良紙に印刷された番号を読取り、読取られた情報は制御手段２にリアルタイムに伝達される。制御手段２には、その内部機能として、第１の番号読取手段１及び第２の番号読取手段７からの情報を記憶する情報記憶手段３と、記憶した情報を印刷手段６に伝達及び指示する情報伝達手段４と、前述の情報記憶手段３によって記憶された複数の番号情報に基づき、番号情報を照合する番号照合手段５を備えている。
【００１８】
印刷手段６には、印刷品質に異常のない新たなシート状基材が備えてあり、制御手段２の機能である情報伝達手段からの情報に基づき、第１の番号読取手段１で読取られた番号、すなわち、印刷不良紙に印刷された番号と同一番号を良紙に印刷する機能を有している。
【００１９】
印刷手段６によって印刷された番号は、第２の番号読取手段７によって速やかに読取られ、その情報は制御手段２に伝達される。制御手段２では、第１及び第２の番号読取手段からの情報を基に、それぞれの番号を照合し適合判定がなされる。その結果、同一番号が適正に印刷されていると判定された場合は、製品差替手段８に伝達及び指示がされ、製品差替手段８によって、印刷不良紙を製品内から排除し、その代替として新たなシート状基材が製品内に挿入されることによって、差替えが完了することとなる。
【００２０】
ここで、印刷不良紙と新たなシート状基材について、図３に基づき説明する。
図３の（ａ）に示す印刷不良紙ｆは、印刷物品質の検査装置（図示せず）によって、当該不良印刷紙に付着した印刷欠点ｋが検出されたものである。印刷不良紙ｆと判定されると、当該不良印刷紙に印刷されている固有の番号は、第１の番号読取手段によって読取られ、第１の番号情報１０として制御手段２を構成している情報記憶手段３に記憶される。
【００２１】
また、図３の（ｂ）に示す新たなシート状基材ｇには、前述の第１の番号情報１０に基づき、印刷手段６によって、印刷不良紙に印刷されていた無効の番号と同一番号が新たに印刷され、その番号は第２の番号読取手段によって読取られ、第２の番号情報１１として制御手段２の機能である情報記憶手段３に記憶されている。
【００２２】
次に、本発明の製造システムに係る製品差替手段について、図６に基づき詳細に説明する。
印刷物品質の検査装置において、検査が終わった製品については、図５の（ａ）に示すように、積層部に順次積層されていく。そのとき、良紙の積層部Ａ’−Ａ”間に不良紙ｆが混在している製品Ｘは、搬送装置（図示せず）によって初期の所定位置（良紙積載スタッカー１３）に一括搬送された後、繰出しローラ１２によって、良紙の積層部Ａ’の最上紙から一枚ずつ搬送され、図５（ｂ）に示すように、良紙の積層部Ａ’は良紙積載スタッカー１３’に、印刷不良紙ｆは不良紙積載スタッカー１４に、それぞれ搬送及び集積される。この際、繰出しローラの近傍には、計数カウンタ及び番号読取手段（それぞれ図示せず）によって、一枚ずつ確実に区分けされていることは言うまでもない。
【００２３】
良紙と不良紙の区分が終了した後は、（ｃ）に示すように、印刷不良紙と同一番号が印刷された新たなシート状基材ｇを印刷不良紙ｆの代替として良紙の積層部Ａ”の上部へ搬送し、その後、良紙積載スタッカー１３’に集積されている良紙の積層部Ａ’は、繰出しローラ１２’によって一枚ずつ搬送され、最終的には、（ｄ）に示す連続番号製品Ａが構成されることとなる。
【００２４】
図５において、良紙の積層部間に印刷不良紙ｆが一枚混在している場合を代表例として図示したが、印刷不良紙ｆが複数枚存在した場合でも、繰出しローラの近傍に設けられた計数カウンタにより１枚目の不良印刷紙から次の不良印刷紙までの数量をカウントし、その数量に合わせて前述の区分け動作によって対応可能であることは言うまでもない。
【００２５】
次に、製品差替手段によって、連続番号製品が保証される仕組みについて、図４を用いて説明する。
図４の（ａ）は、印刷不良紙ｆが発生した段階での番号照合を示すもので、印刷不良紙ｆが発生した場合、印刷不良紙ｆの番号は第１の番号読取手段によって第１の番号情報１０として読み取られ、その後情報記憶手段３に格納され、その無効となった第１の番号情報である番号と同一の番号は新たなシート状基材ｇに印刷され、第２の番号読取手段によって第２の番号情報１１として情報記憶手段３に格納される。その時点において、番号照合手段５によって第１段階の適合判定がなされる。
【００２６】
また、図４の（ｂ）は、最終的な製品差替段階での番号照合を示すもので、印刷不良紙ｆを不良紙積載スタッカー１４へ繰出す時に、印刷不良紙ｆの番号を製品差替手段に備えられた第１の読取手段により再度読取り、第１の番号情報１０’として情報記憶手段３に格納し、印刷不良紙ｆの代替である新たなシート状基材ｇに印刷されている番号も製品差替手段に備えられた第２の読取手段により再度読取り、第２の番号情報１１’として情報記憶手段３に格納し、その時点において、番号照合手段５によって第２段階の適合判定がなされる。
【００２７】
さらに、（ａ）の番号情報と（ｂ）の番号情報を最終照合することによって、トリプルチェックがなされることとなる。この最終的な適合判定の結果に基づき製品差替手段が動作し、連続番号を保証した製品を完成させている。
【００２８】
なお、本説明の番号は、算用数字を代表例として記載しているが、アルファベット、ローマ数字、バーコード、又はこれらの組合せ等、当該紙固有の情報を印刷できるものであれば、これに限定されるものではない。
【００２９】
（実施例１）
本発明の連続番号製品の製造システムについて、図２及び図６に示す実施例を用いて詳細を説明する。
図２に示す製造システムは、製造ラインの上流側から印刷工程、検査工程、仕上工程の複数工程を経て、連続番号製品を製造するものである。図２の右側に示す製品の流れは、印刷不良紙が全く存在しない製品群Ａから連続番号製品Ａが製造されることを示しており、一般的に、連続番号製品を製造する場合、印刷工程において、大判一枚のシート状基材は、複数に分割された印刷領域から成る多面版で印刷される。
【００３０】
一例として、図６（ａ）に示す大判一枚のシート状基材Ａは、（ア）から（ケ）の印刷面位置に区分されており、例えば、９００枚を一組とした連続番号製品を製造する場合、（ア）の印刷面位置に００１から１００までの番号、（イ）は１０１から２００までの番号、・・・（ケ）は８０１から９００までの番号割付がなされ、それぞれの面位置に指定された番号が印刷される。
【００３１】
その後、図示しない断裁手段を用いて１面版の小切れに裁断し、（ア）から（ケ）の順で積層されることで、図６（ｂ）に示す９００枚の連続番号製品を完成させる。
【００３２】
図２の左側は、本発明に係る印刷不良紙の存在する製品群Ｘから連続番号製品Ａを製造することを示しており、以下に詳細を説明する。
【００３３】
印刷工程は、大判一枚一枚のシート状基材に意匠性の印刷と特定の番号を印刷する印刷手段６と、機上オンラインによる品質検査手段（図示しない）を備える工程、検査工程は、大判一枚一枚のシート状基材に対してオフラインによる品質検査を備える工程、仕上工程は、大判一枚一枚のシート状基材を小切れにする断裁手段（図示しない）、機上オンラインによる品質検査手段（図示しない）、小切れ用番号印刷手段６’及び製品差替手段８を備える工程とした。
【００３４】
各工程における品質検査の判定結果に基づき、印刷不良紙ｆ、ｆ’、ｆ”の番号は、第１の番号読取手段１、１’、１”によって無効の番号として読取られ、これらの番号情報は制御手段２、２’、２”に伝達・記憶される。
【００３５】
制御手段２、２’、２”に記憶された番号情報は、情報通信回線９（有線又は無線ＬＡＮ）で連結されることによって、制御手段間で集約・整理されると同時に、工程間でリアルタイムに情報が共有化されるようになっている。また、制御手段に記憶された印刷不良紙ｆ、ｆ’、ｆ”の累積枚数が任意の指定数量以上となった時点で、番号割付表が自動作成されるようになっている。
【００３６】
ここで、番号割付の概念について図７を用いて説明する。一例として、印刷不良紙ｆ、ｆ’、ｆ”の累積枚数の指定数量が４５枚であった場合、（ａ）に示すような番号の自動割付表が作成される。この割付表は、印刷工程において、大判シート状基材に効率良く番号を印刷するためのもので、これに基づき、図７の（ｂ）に示すように、新たなシート状基材ｇに必要な番号印刷が行なわれる。
【００３７】
なお、前述の指定数量に満たない場合には、仕上工程において小切れシート状基材ｇ’に番号の印刷がなされることとなる。
【００３８】
番号情報に基づく番号印刷は、電気信号による伝達及び指示に対応可能な電子式番号器（図示せず）を使用することで、所望する任意の番号を得ることができる。
【００３９】
印刷工程又は仕上工程において、新たなシート状基材ｇ、ｇ’に番号が印刷された後、第２の番号読取手段７、７’によって読取られた番号情報は、制御手段２、２”に伝達・記憶されることとなる。これら記憶された番号情報は、番号照合手段によって適合判定がなされ、その結果に基づいて製品差替手段８が動作し、印刷不良紙の代替として新たなシート状基材が挿入されることで連続番号製品が完成するものである。
【００４０】
本実施例では、三つの製造工程によって連続番号製品を完成させたが、検査工程を省略して印刷工程と仕上工程のみで実施する場合や、中間工程を増やして実施する等、本実施形態に限定されない。
【００４１】
なお、本実施例１では、不良印刷紙が１枚の場合について記載したが、多面判を用いた連続番号製品において、ランダムに不良印刷紙が発生した場合には、各工程に備えられた第１の読取手段によって読み取られた不良印刷紙の番号を各第１の番号情報とし、良紙として印刷した番号を各第２の番号情報として記憶手段に記憶しておき、製品差替手段の繰出しローラ近傍に備えられた計数カウンタによって、不良印刷紙の１枚目から２枚目までの計数、さらには不良印刷紙の２枚目から３枚目までの計数をそれぞれ記憶手段にて記憶しておき、良紙積載スタッカーに良紙が挿入される際に、記憶してあるその計数、第１の番号情報及び第２の番号情報によって随時良紙が連続番号を構成するように挿入されることとなる。
【図面の簡単な説明】
【００４２】
【図１】本発明の実施例の構成を示すブロック図である。
【図２】本発明の一実施例に係る連続番号製品の製造システムの概略図である。
【図３】印刷不良紙（損紙）と良紙を示した図である。
【図４】無効となった番号の照合状態を示す図である。
【図５】本発明の製造システムを構成する製品差替手段を示す図である。
【図６】大判シート状基材から連続番号製品ができる様子を示す図である。
【図７】番号自動割付表に基づいて新たなシート状基材に番号が印刷された図である。
【符号の説明】
【００４３】
１  １’１”      第１の番号読取手段
２  ２’２”      制御手段
３                情報記憶手段（制御手段）
４                情報伝達手段（制御手段）
５                番号照合手段（制御手段）
６  ６’          印刷手段
７  ７’          第２の番号読取手段
８                製品差替手段
９                情報通信回線
１０  １０’      第１の番号情報
１１  １１’      第２の番号情報
１２  １２’      繰出しローラ
１３  １３’      良紙積載スタッカー
１４              不良紙積載スタッカー
Ａ                印刷不良紙が存在しない製品群
Ａ                連続番号製品
Ａ’Ａ”          良紙の積層部
Ｘ                印刷不良紙が混在した製品群
ｆ  ｆ’ｆ”      印刷不良紙
ｇ  ｇ’          新たなシート状基材
ｋ                印刷欠点（汚れ）
【図１】
2008229883.tif 000003
【図２】
2008229883.tif 000004
【図３】
2008229883.tif 000005
【図４】
2008229883.tif 000006
【図５】
2008229883.tif 000007
【図６】
2008229883.tif 000008
【図７】
2008229883.tif 000009